(57)【要約】【課題】本発明は、ミラーキャビネットに関するもので、照明カバーを取り付けた際に遮蔽鍔片により照明カバーと照明器具設置部との間に生じる間隙を外部から見えなくして外観を良くし、而も虫の侵入も防止するミラーキャビネットを提供することをその課題としたものである。【解決手段】前面にミラー２を有し該ミラー２上方に前方へ張り出す張り出し部３を形成し、張り出し部３に照明装置を設けてなるミラーキャビネット１において、該張り出し部３に照明器具設置部４を形成すると共に照明器具設置部４に照明カバー５を装着し、該照明カバー５の係止片１１を照明器具設置部４の奥壁部７に形成した係合部１０に嵌合係止すると共に該照明カバー５に形成した遮蔽鍔片１５により照明カバー５と照明器具設置部４との間に生じる間隙を遮蔽被覆することができるものである。【選択図】図２
2008289693.tif 000002
【特許請求の範囲】
【請求項１】
前面にミラーを有し該ミラー上方に前方へ張り出す張り出し部を形成し、張り出し部に照明装置を設けてなるミラーキャビネットにおいて、該張り出し部を上下に切り欠いて両側壁部と奥壁部に囲まれた照明器具設置部を形成すると共に照明器具設置部の奥壁部に照明灯固定部と照明カバーの係止片を着脱自在に係合する係合部とを形成し、一方、長手方向一側面が開口し両側面に側壁片を形成した筒状カバー本体の開口縁に係止片を突出形成すると共に筒状カバー本体に表面より周縁に突出する遮蔽鍔片を形成して照明カバーとし、該照明カバーの係止片を照明器具設置部の奥壁部に形成した係合部に嵌合係止すると共に遮蔽鍔片により照明カバーと照明器具設置部との間に生じる間隙を遮蔽被覆してなるミラーキャビネット。
【請求項２】
照明カバーの遮蔽鍔片の先端縁全周にミラーキャビネット方向に垂下する垂下片を形成してなる請求項１記載のミラーキャビネット。
【発明の詳細な説明】
【技術分野】
【０００１】
本発明は、前面にミラーを有し該ミラー上方に前方へ張り出す張り出し部を形成し、張り出し部に照明装置を設けてなるミラーキャビネットに関するもので、詳しく述べれば、張り出し部を上下に切り欠いて両側壁部と奥壁部に囲まれた照明器具設置部を形成すると共に照明器具設置部の奥壁に照明灯固定部と照明カバーの係止片を着脱自在に係合する係合部とを形成し、照明カバーを取り付けた際に遮蔽鍔片により照明カバーと照明器具設置部との間に生じる間隙を外部から見えなくして外観を良くし、而も虫の侵入も防止するミラーキャビネットに関するものである。
【背景技術】
【０００２】
従来から、特許文献１、２に示されるミラーキャビネットは知られている。この特許文献１に示されるミラーキャビネットは、ミラー上方に照明装置が露出して設置されているもので、照明装置が露出しているために照明効果は大であるが側面方向からも見えて目立ち過ぎミラーキャビネットとしての外観には好ましいものでなかった。又、特許文献２に示されるミラーキャビネット（洗面キャビネット）はミラー両側に収納部を突出設置し、そのミラー上方の収納部間に照明装置を設置しているものであるが、収納部間に照明器具が設置されているために外観的に照明器具が隠れてしまい、照明効果も充分でない場合があった。
【特許文献１】特開平１０−１７９２８０号公報（図１）
【特許文献２】特開平１１−２６７０５３号公報（図１）
【発明の開示】
【発明が解決しようとする課題】
【０００３】
本発明は、ミラーキャビネットに関するもので、照明効果を充分発揮しながら照明カバーを取り付けた際に遮蔽鍔片により照明カバーと照明器具設置部との間に生じる間隙を外部から見えなくして外観良くし、而も虫の侵入も防止するミラーキャビネットを提供することをその課題としたものである。
【課題を解決するための手段】
【０００４】
上記課題を解決するために、本発明の請求項１にかかるミラーキャビネットにおいては、前面にミラーを有し該ミラー上方に前方へ張り出す張り出し部を形成し、張り出し部に照明装置を設けてなるミラーキャビネットにおいて、張り出し部を上下に切り欠いて両側壁部と奥壁部に囲まれた照明器具設置部を形成すると共に照明器具設置部の奥壁部に照明灯固定部と照明カバーの係止片を着脱自在に係合する係合部とを形成し、一方、長手方向一側面が開口し両側面に側壁片を形成したカバー本体の開口縁に係止片を突出形成すると共にカバー本体に表面より周縁に突出する遮蔽鍔片を形成して照明カバーとし、該照明カバーの係止片を照明器具設置部の奥壁に形成した係合部に嵌合係止すると共に遮蔽鍔片により照明カバーと照明器具設置部との間に生じる間隙を遮蔽被覆してなるものであり、請求項２にかかるミラーキャビネットにおいては、照明カバーの遮蔽鍔片の先端縁にミラーキャビネット方向に垂下する垂下片を形成してなるものである。
【発明の効果】
【０００５】
請求項１に記載のミラーキャビネットは、ミラー上方の張り出し部を上下に切り欠いて両側壁部と奥壁部に囲まれた照明器具設置部を形成すると共に照明器具設置部の奥壁部に照明灯固定部と照明カバーの係止片を着脱自在に係合する係合部とを形成しているために、照明器具は露出していないにもかかわらず照明効果は充分発揮され、また側面方向からも見えずミラーキャビネットとして外観はよいものとなり、さらに、このミラーキャビネットはミラー上方の張り出し部を上下に切り欠いて両側壁部と奥壁部に囲まれた照明器具設置部に照明器具が設置されているために照明効果が妨げられないものである。而も、照明カバーの遮蔽鍔片により照明カバーと照明器具設置部との間に生じる間隙を遮蔽被覆するために照明カバー内への虫の侵入が防止されるものである。
【０００６】
請求項２に記載のミラーキャビネットは、照明カバーの遮蔽鍔片の先端縁全周にミラーキャビネット方向に垂下する垂下片を形成してなる請求項１記載のミラーキャビネットであり、請求項１記載のミラーキャビネットの効果に加え、垂下片により照明カバーの遮蔽鍔片に外観的に立体間を与えるものである。
【発明を実施するための最良の形態】
【０００７】
以下、本発明のミラーキャビネットの実施形態について図面を参照して詳細に説明する。図１は本発明の実施例であるミラーキャビネットの側面図、図２は図１に示す実施例の分解斜視図、図３は図１に示す実施例に使用された照明カバーの斜視図、図４は異なった実施例であるミラーキャビネットの側面図、図５は図４に示す実施例の斜視図である。
【０００８】
図１、図２において、１はミラーキャビネット、２はミラー、３は張り出し部、４は照明器具設置部、５は照明カバーである。ミラーキャビネット１は例えば洗面所に設置され洗面化粧台として使用されるものである。このミラーキャビネット１は前面にミラー２を有するものであり、ミラー２の上方に張り出し部３を形成している。張り出し部３は中央部を上下に切り欠いて照明器具設置部４を形成している。
【０００９】
照明器具設置部４は張り出し部３を中央部で上下に切り欠くことにより生じる両側壁部６、６と奥壁部７により形成されるものである。奥壁部７には照明灯８を固定する照明灯固定部９と、係合部１０とを形成している。係合部１０は照明カバー５に形成された係止片１１を着脱自在に係合するものである。照明カバー５は透明或いは半透明の熱可塑性合成樹脂で形成されるもので、例えば、ポリスチレン樹脂、アクリル樹脂等で形成されるものである。
【００１０】
照明カバー５の構造は、図３に示す如く、長手方向一側面が開口し両側面に側壁片１２、１２を形成してなる筒状カバー本体１３の開口縁１４に係止片１１を突出形成し、さらに筒状カバー本体１３表面より周縁に突出する遮蔽鍔片１５を形成してなるものである。遮蔽鍔片１５は筒状カバー本体１３の周縁より突出しているもので、側壁片１２、１２より外側に位置する部分であり、照明器具設置部４の奥壁部７の係合部１０に筒状カバー本体１３の係止片１１を係止して照明カバー５を取り付けた際に遮蔽鍔片１５が照明器具設置部４と筒状カバー本体１３との間に生じる間隙を遮蔽被覆するものである。
【００１１】
遮蔽鍔片１５は先端縁全周にミラーキャビネット１方向に垂下する（上方に立ち上がる場合を含む）垂下片１６を形成している。遮蔽鍔片１５に形成された垂下片１６は先端がミラーキャビネット１面に密接し、筒状カバー本体１３内への虫の侵入を防止するものであり、さらに、遮蔽鍔片１５に外観上厚み感を与えるものである。
【００１２】
図４は本発明の異なった実施例のミラーキャビネット１７を示す側面図である。１８は照明カバーである。このミラーキャビネット１７はミラー１９の上方の張り出し部２０が断面先細状の三角形に形成されてなるもので、ミラーキャビネット１と同様に照明器具設置部が形成され、照明カバー１８が取り付けられている。図５は図４に示すミラーキャビネット１７の斜視図である。このミラーキャビネット１７においてもミラーキャビネット１と同様な効果、即ち、照明器具は露出することはなく、しかも照明効果は充分にはたすことができるものである。
【００１３】
ミラーキャビネット１、１７ともにカランの有無、収納部の位置等は必要に応じて設ければ良いことであり、本発明を限定するものではない。又、本発明は照明器具設置部４に特徴があり、照明カバー５の構造と相伴って効果を発揮するものであり、照明灯の種類、照明カバー５の材質等により本発明は限定されないものである。
【図面の簡単な説明】
【００１４】
【図１】本発明にかかるミラーキャビネットの実施例の側面図。
【図２】図１に示すミラーキャビネットの実施例の分解斜視図。
【図３】図１に示すミラーキャビネットの照明カバーの斜視図。
【図４】本発明にかかるミラーキャビネットの異なった実施例の側面図。
【図５】図４に示すミラーキャビネットの斜視図。
【符号の説明】
【００１５】
１、１７        ミラーキャビネット
２、１９        ミラー
３、２０        張り出し部
４              照明器具設置部
５、１８        照明カバー
６              両側壁
７              奥壁
８              照明灯
９              照明灯固定部
１０            係合部
１１            係止片
１２            側壁片
１３            筒状カバー本体
１４            開口縁
１５            遮蔽鍔片
１６            垂下片
【図１】
2008289693.tif 000003
【図２】
2008289693.tif 000004
【図３】
2008289693.tif 000005
【図４】
2008289693.tif 000006
【図５】
2008289693.tif 000007